【手続補正書】
【提出日】平成30年5月7日(2018.5.7)
【手続補正１】
【補正対象書類名】特許請求の範囲
【補正対象項目名】全文
【補正方法】変更
【補正の内容】
【特許請求の範囲】
【請求項１】
Ｘ線撮像システムであって、
Ｘ線を生成して当該Ｘ線を対象物に向けて方向付けるように構成されたＸ線エミッタと、
前記Ｘ線エミッタからのＸ線を受容するように構成されたＸ線レシーバと、
前記Ｘ線エミッタ及び前記Ｘ線レシーバに通信可能に接続された少なくとも一つのコンピュータプロセッサと、
を備え、
前記Ｘ線エミッタ及び前記Ｘ線レシーバは、前記対象物の少なくとも一つの画像を獲得するように構成されており、
前記少なくとも一つのコンピュータプロセッサは、前記少なくとも一つの画像から前記対象物の物理的特徴を決定し、少なくとも当該物理的特徴に基づいて撮像パラメータ値を決定するように構成されており、
前記Ｘ線エミッタ及び前記Ｘ線レシーバは、更に、前記撮像パラメータ値を用いて前記対象物の複数の投影画像を獲得するように構成されており、
前記少なくとも一つのコンピュータプロセッサは、更に、前記複数の投影画像から３次元Ｘ線画像を再構成するように構成されている
ことを特徴とするＸ線撮像システム。
【請求項２】
前記撮像パラメータ値は、エミッタ電流である
ことを特徴とする請求項１に記載のＸ線撮像システム。
【請求項３】
前記少なくとも一つのコンピュータプロセッサに通信可能に接続され、画像の質のユーザ入力を受容するように構成された入力装置
を更に備え、
前記少なくとも一つのコンピュータプロセッサは、更に、少なくとも画像の質の当該ユーザ入力に基づいて前記撮像パラメータ値を決定するように構成されている
ことを特徴とする請求項１または２に記載のＸ線撮像システム。
【請求項４】
前記入力装置は、更に、画像分解能のユーザ入力を受容するように構成されており、
前記コンピュータプロセッサは、更に、前記受容された画像分解能のユーザ入力に基づいてノイズフィルタを選択し、前記獲得された複数の投影画像から前記３次元Ｘ線画像を再構築する前に、前記ノイズフィルタを用いて、前記複数の投影画像をフィルタリングするように構成されている
ことを特徴とする請求項３に記載のＸ線撮像システム。
【請求項５】
前記少なくとも一つの物理的特徴は、前記対象物の減衰を含み、
前記少なくとも一つの画像は、予め設定された視野（ＦＯＶ）サイズ、及び、予め設定された分解能、で獲得される
ことを特徴とする請求項１乃至４のいずれかに記載のＸ線撮像システム。
【請求項６】
３次元Ｘ線撮像における１回量制御の方法であって、
Ｘ線エミッタとＸ線レシーバとによって、対象物の少なくとも一つの画像を獲得する工程と、
少なくとも一つのコンピュータプロセッサを用いて、前記少なくとも一つの画像から前記対象物の少なくとも一つの物理的特徴を決定する工程と、
前記少なくとも一つのコンピュータプロセッサを用いて、前記対象物の前記少なくとも一つの物理的特徴に基づいて、少なくとも一つの撮像パラメータ値を決定する工程と、
前記Ｘ線エミッタ及び前記Ｘ線レシーバによって、前記少なくとも一つの撮像パラメータ値を用いて、前記対象物の複数の投影画像を獲得する工程と、
前記少なくとも一つのコンピュータプロセッサを用いて、前記複数の投影画像から３次元Ｘ線画像を再構成する工程と、
を備えたことを特徴とする方法。
【請求項７】
前記少なくとも一つの撮像パラメータ値は、エミッタ電流を有している
ことを特徴とする請求項６に記載の方法。
【請求項８】
前記少なくとも一つの物理的特徴は、対象物のサイズ及び対象物の減衰のうちの少なくとも一方を含む
ことを特徴とする請求項６または７に記載の方法。
【請求項９】
前記少なくとも一つの画像は、予め設定された撮像パラメータ、予め設定された視野（ＦＯＶ）サイズ、及び、予め設定された分解能、の少なくとも一つで獲得される複数の画像を含んでいる
ことを特徴とする請求項６乃至８のいずれかに記載の方法。
【請求項１０】
画像の質のユーザ入力を受容する工程
を更に備え、
前記少なくとも一つの露出パラメータは、更に、画像の質の前記ユーザ入力に基づいて前記少なくとも一つのコンピュータプロセッサによって決定される
ことを特徴とする請求項６乃至９のいずれかに記載の方法。
【請求項１１】
画像分解能のユーザ入力を受容する工程と、
前記受容された画像分解能のユーザ入力に基づいて、前記少なくとも一つのコンピュータプロセッサを用いて、ノイズフィルタを選択する工程と、
前記獲得された複数の投影画像から前記３次元Ｘ線画像を再構築する前に、前記ノイズフィルタを用いて、前記複数の投影画像をフィルタリングする工程と、
を更に備えたことを特徴とする請求項１０に記載の方法。
【請求項１２】
前記少なくとも一つの露出パラメータ値は、更に、前記コンピュータプロセッサによって選択されたノイズフィルタに基づいて、前記少なくとも一つのコンピュータプロセッサによって決定される
ことを特徴とする請求項１１に記載の方法。
【請求項１３】
前記少なくとも一つの物理的特徴は、減衰を含む
ことを特徴とする請求項１１または１２に記載の方法。
【請求項１４】
前記少なくとも一つの画像は、最初のエミッタ電流で獲得され、
当該方法は、
複数の処理画像を捕捉するべく３次元撮像手順を開始する工程と、
前記撮像パラメータ値を、前記プロセッサによって決定されたエミッタ電流値に調整する工程と、
を更に備え、
前記少なくとも一つの画像は、複数の処理画像の第１部分を有し、
前記複数の投影画像は、前記複数の処理画像の第２部分であり、
前記複数の投影画像は、前記コンピュータプロセッサによって決定されたエミッタ電流値で獲得され、
前記コンピュータプロセッサは、前記複数の処理画像から３次元Ｘ線画像を再構築することを特徴とする請求項６乃至１３のいずれかに記載の方法。
【請求項１５】
前記少なくとも一つの画像から対象容積の少なくとも一つのグレー値を評価する工程を更に備え、
前記少なくとも一つの撮像パラメータは、更に、前記少なくとも一つのグレー値に基づいて決定される
ことを特徴とする請求項６乃至１４のいずれかに記載の方法。
【請求項１６】
３次元Ｘ線撮像における露出制御の方法であって、
最初の撮像パラメータ値で作動するＸ線エミッタとＸ線レシーバとによって、対象物の少なくとも一つの画像を獲得する工程と、
少なくとも一つのコンピュータプロセッサを用いて、前記少なくとも一つの画像から前記対象物の少なくとも一つの物理的特徴を決定する工程と、
画像の質のユーザ入力を受容する工程と、
前記少なくとも一つのコンピュータプロセッサを用いて、少なくとも前記対象物の前記決定された少なくとも一つの物理的特徴と画像の質の前記ユーザ入力とに基づいて、新しいエミッタ電流値を決定する工程と、
新しい撮像パラメータ値で作動する前記Ｘ線エミッタ及び前記Ｘ線レシーバによって、前記対象物の複数の投影画像を獲得する工程と、
前記少なくとも一つのコンピュータプロセッサを用いて、前記複数の投影画像から３次元Ｘ線画像を再構成する工程と、
を備えたことを特徴とする方法。
【請求項１７】
前記最初の撮像パラメータ値は、最初のエミッタ電流であり、
前記新しい撮像パラメータ値は、新しいエミッタ電流である
ことを特徴とする請求項１６に記載の方法。
【請求項１８】
画像分解能のユーザ入力を受容する工程と、
前記受容された画像分解能のユーザ入力に基づいて、前記少なくとも一つのコンピュータプロセッサを用いて、ノイズフィルタを選択する工程と、
前記獲得された複数の投影画像から前記３次元Ｘ線画像を再構築する前に、前記ノイズフィルタを用いて、前記複数の投影画像をフィルタリングする工程と、
を更に備え、
前記新しい撮像パラメータ値は、更に、少なくとも前記コンピュータプロセッサによって選択されたノイズフィルタに基づいて、前記少なくとも一つのコンピュータプロセッサによって決定される
ことを特徴とする請求項１６または１７に記載の方法。
【請求項１９】
前記少なくとも一つの物理的特徴は、前記対象物の減衰を含む
ことを特徴とする請求項１６乃至１８のいずれかに記載の方法。
【請求項２０】
前記少なくとも一つの画像は、予め設定された視野（ＦＯＶ）サイズ、及び、予め設定された分解能、で獲得される
ことを特徴とする請求項１９に記載の方法。